(57)【要約】      （修正有）【課題】読取対象に厚みや段差がある場合にも、読取画像に黒い筋が現れないように光を放射し、かつ、省スペース化を実現する導光体および線状光源装置を提供する。【解決手段】軸方向の一方の端部が光取込部３となり、他方の端部が平滑面４となり、側面に軸方向に伸びる反射ローレット溝５が形成された棒状の導光体１において、前記反射ローレット溝５に対向する側面が光出射面９となり、前記光出射面の平滑面側に屈折ローレット溝１０が形成されている。【選択図】図１
2008276976.tif 000002
【特許請求の範囲】
【請求項１】
軸方向の一方の端部が光取込部となり、他方の端部が平滑面となり、側面に軸方向に伸びる反射ローレット溝が形成された棒状の導光体において、
前記反射ローレット溝に対向する側面が光出射面となり、前記光出射面の平滑面側に屈折ローレット溝が形成されていることを特徴とする導光体。
【請求項２】
前記屈折ローレット溝は、軸方向に沿う断面において断面矩形状の複数の溝部からなることを特徴とする請求項１に記載の導光体。
【請求項３】
前記屈折ローレット溝は、軸方向に沿う断面において断面三角形状の複数の溝部からなることを特徴とする請求項１に記載の導光体。
【請求項４】
前記光出射面と前記光取込部を有する面とのなす角度が９０°以下であることを特徴とする請求項１に記載の導光体。
【請求項５】
請求項１〜４に記載の導光体と、前記導光体の前記光取込部に対向して設けられた光源とを有することを特徴とする線状光源装置。
【発明の詳細な説明】
【技術分野】
【０００１】
本発明は、ファクシミリ、複写機、イメージスキャナ、バーコードリーダ等に使用する画像読取装置の照明用光源として用いられる線状光源装置に関する。
【背景技術】
【０００２】
近年、パーソナルファクシミリ等の画像読取装置において、発光ダイオード（以下、ＬＥＤと言う）の出力向上と受光素子としてのＣＣＤ型センサの高感度化により、小型で低消費電力のＬＥＤが読み取り光源装置の光源として一般に使用されるようになってきている。このようなＬＥＤを光源として備えた従来の線状光源装置は、光源の個数を低減させ、且つ均一な照明強度を得ることを目的として、光源から放射される光を導光体に入射させて所望の方向に光を導光させる構成のものが知られている。
【０００３】
図１０は、従来の線状光源装置として特開平９−１６３０８０号公報に開示された線状光源装置の構成を示す図である。
線状光源装置は透明樹脂等よりなる導光体１、ＬＥＤよりなる光源２を備えて構成される。導光体１は、軸方向の一端に光取込部３が設けられ、他端に反射膜が形成された平滑面４が設けられている。光源２は、光取込部３に対峙するように配置される。また、導光体１の照射方向と反対側の外周面に、軸方向にのびる反射ローレット溝５が設けられている。反射ローレット溝５は、切り込み方向が軸方向と直交し、軸方向に沿う断面が二等辺三角形形状となっている。
光源２の出射光は、光取込部から導光体１の内部に入射し、導光体１内で反射を繰り返し、反射ローレット溝５の反射面６で反射され、所定の角度を持って導光体１から出射される。
【０００４】
光源２の出射光のうち、光取込部３に対する入射角が大きい光α１は、光取込部３に近いローレット溝５の反射面６で反射される（光α２）。光取込部３に対する入射角が大きい光α１は、ローレット溝５の反射面６に対する入射角が小さい（光α２）ので、光出射面９に対してほぼ垂直方向に導光体１から出射される（光α３）。
一方、光源２の出射光のうち、光取込部３に対する入射角が小さい光β１は、導光体１の軸方向に沿って進み、光取込部３から遠く、平滑面４に近いローレット溝５の反射面６で反射される（光β２）。光取込部３に対する入射角が小さい光β１は、ローレット溝５の反射面６に対する入射角が大きい（光β２）ので、平滑面４方向に傾いた角度をもって導光体１から出射される（光β３）。
【０００５】
図１０に示す線状光源装置では、平滑面４方向に傾いた角度をもった光β３が出射するため、読取画像に黒い筋が生じる場合がある。図１１は、影４４を説明するために、読取対象４２と光線を示した画像読取装置の一部断面図である。
画像読取装置には、線状光源装置の光出射面９に対向して、光透過性部材よりなる載置面４１が設けられ、線状光源装置から出射した光が載置面４１に対して照射される。画像読取装置は、取り込みたい画像が記載された読取対象４２を載置面４１に載置して使用され、読取対象４２の投影像を検出して読取画像とする。
書籍等の厚みのあるものを読取対象４２とするとき、読取対象４２の光照射面と原稿カバー４３との間に、厚みが生じる。読取対象４２は光を透過しないので、読取対象４２の端部を照射する光β３ａは原稿カバー４３を照射しない。読取対象４２の端部を照射する光β３ａから軸方向にわずかにずれて照射する光β３ｂは、原稿カバー４３を照射するが、角度を有するので、読取対象４２の端から軸方向にずれて照射することになる。したがって、光β３ａと光β３ｂの間は、光が照射されない影４４となり、読取画像において黒い筋となって表れる。
また、同様のことが読取対象４２に折れ線等の段差がある場合にも起こる。
【０００６】
図１２は、従来の線状光源装置として特開２００３−９７９１０号公報に開示された線状光源装置の構成を示す図である。
導光体１および光源２は、ケース３１およびケース蓋３２により形成される空間内に格納される。ケース蓋３２に設けられた開口部から出射された光を屈折させるため、偏向フィルム３３を備える。偏向フィルム３３は出射光を屈折・透過させるものであり、出射光の角度に応じて屈折率が設定されている。具体的には、出射光が有する角度を相殺して、導光体１の軸方向に対して垂直な光となるように屈折させている。線状光源装置の出射光は読取対象に対して垂直に照射するため、光が照射されない影が発生せず、読取画像において黒い筋が表れない。
【０００７】
しかしながら、偏向フィルム３３は極薄い板状の部材であるため、たわみやすいという問題がある。長手方向両端で偏向フィルム３３を支持しただけでは、長手方向中央部で偏向フィルム３３がたわんでしまう。偏向フィルム３３が水平となることを前提として、導光体１の軸に対して垂直な光となるように屈折させているので、偏向フィルム３３がたわむと、偏向フィルム３３を透過する光も曲がってしまう。
したがって、偏向フィルム３３は、例えば、板状のケース蓋３２に長尺状のスリットを設けて、偏向フィルム３３をスリットの間に配置し、短手方向にも支持できるようにしなければならない。このような構造をとると、装置が大きくなるため、原稿読取装置全体の小型化のための省スペース化を求める市場ニーズに対応することができない。
【特許文献１】特開平９−１６３０８０号公報
【特許文献２】特開２００３−９７９１０号公報
【発明の開示】
【発明が解決しようとする課題】
【０００８】
本発明は、上記の問題点に鑑み、読取対象に厚みや段差がある場合にも、読取画像に黒い筋が現れないように光を放射し、かつ、省スペース化を実現する導光体および線状光源装置を提供することを目的とする。
【課題を解決するための手段】
【０００９】
本願第１の発明は、軸方向の一方の端部が光取込部となり、他方の端部が平滑面となり、側面に軸方向に伸びる反射ローレット溝が形成された棒状の導光体において、前記反射ローレット溝に対向する側面が光出射面となり、前記光出射面の平滑面側に屈折ローレット溝が形成されていることを特徴とする。
また、本願第２の発明は、第１の発明において、前記屈折ローレット溝は、軸方向に沿う断面において断面矩形状の複数の溝部からなることを特徴とする。
また、本願第３の発明は、第１の発明において、前記屈折ローレット溝には、軸方向に沿う断面において断面三角形状の複数の溝部からなることを特徴とする。
また、本願第４の発明は、第１の発明において、前記光出射面と前記光取込部を有する面とのなす角度が９０°以下であることを特徴とする。
また、本願第５の発明は、第１〜４に記載の導光体と、前記導光体の前記光取込部に対向して設けられた光源とを有することを特徴とする。
【発明の効果】
【００１０】
本発明に係る導光体および線状光源装置によれば、光出射面の平滑面側に屈折ローレット溝が形成されるので、線状光源装置から軸方向に異なる２つの方向に光を出射することができ、読取対象に厚みや段差がある場合でも原稿カバーに影が発生せず、読取画像に黒い筋が現れることがない。また、出射光の進む方向を調整するために別部材を必要しないので、線状光源装置をコンパクトにまとめて、原稿読取装置全体の小型化のための省スペース化を求める市場ニーズに対応することができる。
【発明を実施するための最良の形態】
【００１１】
本発明の第１の実施形態について説明する。図１は、本発明の線状光源装置の構成を示す斜視図である。
図１に示すように、線状光源装置は透明樹脂等よりなる導光体１、ＬＥＤよりなる光源２を備えて構成される。導光体１は、円柱状の部品で、軸方向の一端に光取込部３が設けられ、他端は平滑面４となっている。導光体１の外周面には、軸方向にのびる反射ローレット溝５が設けられており、反射ローレット溝５に対向する位置が光出射面９となっている。反射ローレット溝５は、切り込み方向が導光体１の軸方向と直交する溝部７が複数形成されている。平滑面側の光出射面９には、光を屈折させることを目的とした、屈折ローレット溝２１が設けられている。
【００１２】
光源２は、例えば樹脂よりなるパッケージ内部に、１つ乃至複数の青色ＬＥＤ素子が配置され、モールド材により青色ＬＥＤを固定し外気から遮断して保護し、蛍光体層により青色ＬＥＤからの青色光を白色光に変換される。なお、一般に、ＬＥＤ素子は、光出力にバラツキがあるが、光源２に複数のＬＥＤ素子を配置した場合は、光源２の光出力が、個々のＬＥＤ素子の光出力に影響されず、一定の光出力を確保することができる。光源２は、光取込部３に対峙するように配置される。
【００１３】
光源２から出射する光は、コサイン曲線の配光分布を有し、導光体１に向けて照射される。一般に異なった材質を介して光が入射する場合、臨界角（互いの材質で一義的にきまる角度）を越えて入射した光は、損失無く、全反射する。臨界角より小さい入射角度で入射した光は、屈折率の小さな部材に対しては、所定の屈折角をもって、屈折され入射される。光源２と光取込部３との間に大気層があるため、光取込部３から導光体１内に通過する光は、光取込部３を所定の屈折角をもって入射する光だけとなるので、光の角度は一定の範囲内になる。
【００１４】
図２は、本発明の線状光源装置を軸方向Ｘに切断した拡大断面図である。
反射ローレット溝５は、導光体の軸方向Ｘに垂直で、反射ローレット溝５から光出射面９に進む深さ方向Ｙに切込みが入った溝部７が複数設けられ、各溝部７の頂部に平坦面８が形成されている。平坦面８の軸方向の長さを光取込部３から遠ざかるにつれて小さくしている。また、各溝部７の深さ方向Ｙの長さは光取込部３近傍から平滑面４近傍に近づくに従って深くなるように形成されている。
【００１５】
屈折ローレット溝１０は、光出射面９の平滑面４側に設けられ、切り込み方向が深さ方向Ｙの反対方向であり、軸方向Ｘに沿う断面において断面矩形状となる溝部１１が複数形成されている。平滑面４側において反射ローレット溝５で反射された光は、屈折ローレット溝１０に入射する。
【００１６】
光源２から入射された光は、導光体１内壁を反射しながら、反射ローレット溝５に到達し、反射面６に対する入射角が臨界角を越えた場合は全反射して光出射面９に進み、導光体１から外部に出射する。光取込部３に対する入射角が大きい光Ａ１は、光取込部３に近い反射ローレット溝５の反射面６で反射される。入射光Ａ１は、反射ローレット溝５の反射面６に対する入射角が小さいので、光出射面９に対してほぼ垂直方向に全反射される。
光取込部３に対する入射角が小さい光Ｂ１は、導光体１の軸方向に沿って進み、光取込部３から遠く、平滑面４に近い反射ローレット溝５の反射面６で反射される。入射光Ｂ１は、反射ローレット溝５の反射面６に対する入射角が大きいので、光取込部３から平滑面４に進む軸方向Ｘに傾いた角度をもって反射される。
【００１７】
光取込部３近傍は導光体１内を導光する光量が多く、遠ざかるにしたがって減少する傾向があるが、平坦面８の軸方向の長さを光取込部３から遠ざかるにつれて小さくすることや、各溝部７の深さ方向Ｙの長さを光取込部３近傍から遠ざかるにつれて深くすることによって、軸方向全体にわたって、反射ローレット溝５で反射される光量が均一になるようにしている。
【００１８】
図３は、本発明の導光体１を、図２に示す線分Ａ−Ａ´に沿って深さ方向Ｙに切断した投影図である。実線は、線分Ａ−Ａ´における導光体１の形状を示し、破線は、反射ローレット溝５の溝部７および屈折ローレット溝１０の溝部１１を示す。
導光体１の深さ方向の断面は、完全な円形ではなく、一部に直線部が設けられている。導光体１全体で見ると、外周面に軸方向に伸びる水平面が設けられている。反射ローレット溝５は、この水平面に設けられている。水平面の方が、精度の高い溝加工を容易にすることができるためである。
反射ローレット溝５は、幅方向Ｚにわたって深さ方向Ｙに同一長さ切込みが入った溝部７を形成する。深さ方向Ｙと幅方向Ｚの平面の投影図において、溝部７は台形状になっている。
屈折ローレット溝１０は、反射ローレット溝５と深さ方向Ｙに対向して形成される。屈折ローレット溝１０の幅方向Ｚの中央部と反射ローレット溝５の幅方向Ｚの中央部とが、深さ方向Ｙに対向するように形成することが好ましい。屈折ローレット溝１０は、光出射面９となっている円弧状の導光体１の外周面に設けられ、導光体１の軸中心に向かって光出射面９から同一長さ切込みが入った溝部１１を形成する。深さ方向Ｙと幅方向Ｚの平面の投影図において、溝部１１は扇状になっている。屈折ローレット溝１０は、光出射面９の延長上に形成されるため、溝部１１を扇状となるように切込みを入れて形成することが好ましい。
【００１９】
導光体１は光をライン状に出射させるためのものであり、光出射面９から光が出射されるように設計されている。光出射面９の平滑面４側に設けられた屈折ローレット溝１０は、反射ローレット溝５で反射された光Ａを、導光体１の内部から外部に出射する際に透過させるために設けられている。したがって、光Ｂのように、導光体１の外周面で全反射され、再び導光体１の内部に導光される箇所に屈折ローレット溝１０を設けても目的を達成できない。加工を容易にするためにも、屈折ローレット溝１０は必要な部分にだけ形成することが好ましい。
前述したように、入射角が臨界角θＣより大きい場合は、入射した光Ｂは損失無く全反射する。反射ローレット溝５の幅方向中央部から反射されて、導光体１の外部に出射できる光Ａは、角度θが臨界角θＣより小さい時である。したがって、屈折ローレット溝１０の溝部１１の幅方向両端をＳ、Ｔとし、導光体１の中心軸をＯとするとき、屈折ローレット溝１０の幅方向Ｚの一端Ｓと軸中心Ｏを結ぶ線分ＳＯと屈折ローレット溝１０の幅方向Ｚの他端Ｔと軸中心Ｏを結ぶ線分ＴＯとがなす角度θａは４θＣ以下となるように形成することが好ましい。また、十分な光量が屈折ローレット溝１０を透過できるように、θａは８／３・θＣ以上であることが好ましい。
【００２０】
図４は、屈折ローレット溝１０を軸方向Ｘに切断した拡大断面図である。
屈折ローレット溝１０は、軸方向Ｘに切断した断面において断面矩形状の溝部１１が設けられている。溝部１１は、光取込部側の側面１２、底面１３、平滑面側の側面１４により構成され、溝部１１と溝部１１の間は頂面１５が形成される。
反射ローレット溝５で反射した光（Ａ１、Ｂ１、Ｃ１）が、どのようにして屈折ローレット溝１０を透過するか、光線追跡を用いて説明する。
光Ａ１は、底面１３を透過して軸方向Ｘに屈折して導光体１の外部に出射して光Ａ２となる。光Ａ２は、平滑面側の側面１４を透過して軸方向Ｘに屈折して導光体１の内部に入射して光Ａ３となる。光Ａ３は、光取込部側の側面１２を透過して軸方向Ｘと反対方向に屈折して導光体１の外部に出射して光Ａ４となる。光Ａ４は、深さ方向Ｙから軸方向Ｘに傾いた方向に進む。
光Ｂ１は、頂面１５を透過して軸方向Ｘに屈折して導光体１の外部に出射して光Ｂ２となる。光Ｂ２は、深さ方向Ｙから軸方向Ｘに傾いた方向に進む。
光Ｃ１は、光取込部側の側面１２を全反射して光Ｃ２となる。光Ｃ２は、頂面１５を透過して軸方向Ｘの反対方向に屈折して導光体１の外部に出射して光Ｃ３となる。光Ｃ３は、深さ方向Ｙから軸方向Ｘの反対方向に傾いた方向に進む。
光Ａ４、Ｂ２は、深さ方向Ｙから軸方向Ｘに傾いた角度を有するが、光Ｃ３は、深さ方向Ｙから軸方向Ｘの反対方向に傾いた角度を有する。このため、屈折ローレット溝１０からは、軸方向Ｘに傾いた角度を有する光Ａ４、Ｂ２と、軸方向Ｘの反対方向に傾いた角度を有する光Ｃ３が出射する。
【００２１】
なお、光源２から導光体１内部に入射した光は、導光体１の側面で全反射を繰り返しながら軸方向Ｘに導光されるが、軸方向Ｘに導光された光Ｄ１が光取込部側の側面１２に入射すると、入射角が臨界角θＣより小さくなるため、光取込部側の側面１２を透過して導光体１の外部に出射してしまう。このような光が増えると、光源２から導光体１内部に入射した光を軸方向Ｘに導光することができなくなり、平滑面側の光出射面９から出射する光が減少してしまう。
したがって、屈折ローレット溝１０を光出射面９の平滑面側に設けて、導光体１内部に入射した光を軸方向Ｘに効率よく導光できるようにしている。
【００２２】
各溝部１１の間隔と深さ、および、底面１３と頂面１５の軸方向Ｘの長さが、屈折ローレット溝１０の全体にわたって略同一となるように形成されているとき、溝部１１の幅、すなわち底面１３の軸方向Ｘ長さＰと、溝部１１の高さ、すなわち光取込部側の側面１２および平滑面側の側面１４の深さ方向の長さＨとの関係は、Ｈ／Ｐが２．１以上３．７以下となるように構成することが好ましい。このように構成すれば、反射ローレット溝５で反射した光Ａ１、Ｂ１、Ｃ１が深さ方向Ｙに対して１５°〜２５°傾いて屈折ローレット溝１０に入射したときに、軸方向Ｘに傾いた角度を有する光Ａ４、Ｂ２と、軸方向Ｘの反対方向に傾いた角度を有する光Ｃ３の光束比率を均等にすることができるからである。
【００２３】
図５は、光線Ａ４、Ｃ３が読取対象４２に照射された状態を示した画像読取装置の一部断面図である。
図４に示す屈折ローレット溝１０を透過した光Ａ４、Ｃ３は、導光体１の外部に出射して、図５に示す読取対象４２を照射する。画像読取装置には、線状光源装置の光出射面９に対向して、光透過性部材よりなる載置面４１が設けられ、線状光源装置から出射した光が載置面４１に対して照射される。画像読取装置は、取り込みたい画像が記載された読取対象４２を載置面４１に載置して使用され、載置面４１に載置された読取対象４２の投影像を、検出して読取画像とする。
書籍等の厚みのあるものを読取対象４２とすると、読取対象４２の光照射面と原稿カバー４３との間に、厚みが生じる。読取対象４２は光を透過しないので、軸方向Ｘに傾いた角度成分をもつ光Ａ４は読取対象４２の端部を照射すると原稿カバー４３を照射しない。しかし、軸方向Ｘの反対方向に傾いた角度をもつ光Ｃ３が、原稿カバー４３において光Ａ４が照射できない箇所を、照射することができるので、光が照射されない影が発生しない。
同様にことが読取対象４２に折れ線等の段差がある場合にもいえる。
【００２４】
したがって、光出射面９の平滑面側に屈折ローレット溝１０が形成されることによって、線状光源装置から軸方向Ｘに異なる２つの角度成分を有する光を読取対象４２に向けて出射することができるので、読取対象４２に厚みや段差がある場合でも原稿カバー４３に影が発生せず、読取画像に黒い筋が現れることがない。また、出射光の進む方向を調整するために別部材を必要しないので、線状光源装置をコンパクトにまとめて、原稿読取装置全体の小型化のための省スペース化を求める市場ニーズに対応することができる。
【００２５】
本発明の第２の実施形態について説明する。図６は、本発明の導光体１を軸方向Ｘに切断した拡大断面図である。
第２の実施形態は、第１の実施形態の線状光源装置において、屈折ローレット溝１０の溝部１１の形状を変更したものである。
屈折ローレット溝１０は、光出射面９の平滑面４側に設けられ、切り込み方向が深さ方向Ｙの反対方向であり、軸方向Ｘに沿う断面において断面三角形状となる溝部１１が複数形成されている。平滑面４側において反射ローレット溝５で反射された光は、屈折ローレット溝１０に入射する。
第２の実施形態の屈折ローレット溝１０も、第１の実施形態の屈折ローレット溝１０と同様に、導光体１の中心方向に向かって切込みが入った扇状の溝部１１を有し、幅方向の中央部は、反射ローレット溝５の幅方向の中央部と深さ方向に対向するように形成されている。
【００２６】
図７は、屈折ローレット溝１０を軸方向Ｘに切断した拡大断面図である。
屈折ローレット溝１０の溝部１１は、光取込部側の側面である光透過面１７と、光透過面１７の他方の側面となる平滑面側の側面である切替面１６により構成される。切替面１６は、反射ローレット溝５で反射された光の進む方向と略平行となるように形成されることが好ましい。このように構成することによって、反射ローレット溝５で反射された光は、切替面１６に入射することなく、略全ての光が光透過面１７に入射させて屈折することができる。また、光透過面１７の傾斜角度θｂは、軸方向Ｘの１８０°反対方向から光透過面１７までの時計回りに回転した時の角度を示し、反射ローレット溝５で反射された光の角度によって調整することが好ましい。例えば、反射ローレット溝５の反射光は、平滑面４側に近づくにしたがって、平滑面方向に傾く角度が大きくなるので、光透過面１７の傾斜角度θｂを大きくして、導光体１の軸方向に対して略垂直な光となるように屈折できるようにすることもできる。
【００２７】
反射ローレット溝５で反射して屈折ローレット溝１０まで導光された光Ａ１は、光透過面１７に入射する。光Ａ１の光透光面１７に対する入射角はθ１となる。導光体１の屈折率は大気より大きいので、光透過面１７を透過して屈折した光Ａ２の出射角θ２は、入射角θ１より大きくなる。光透過面１７の垂線Ｌは、軸方向Ｘに傾いているので、光透過面１７の出射光Ａ２は、軸方向Ｘの反対方向に進むようになるように屈折されることになる。光透過面１７の傾斜角度θｂは４０°〜６５°とすると、出射光Ａ２が好ましい方向に進むようになる。
【００２８】
図８は、光線Ａ２が読取対象４２に照射された状態を示した画像読取装置の一部断面図である。
屈折ローレット溝１０に断面三角形状の溝部１１を形成すると、溝部１１の光透過面１７から出射する光Ａ２は、軸方向Ｘの反対方向に進むように屈折される。屈折ローレット溝１０から出射する光Ａ２は、読取対象４２の端部を照射する向きになっているので、原稿カバー４３に影を発生させない。また、出射光の進む方向を調整するために別部材を必要しないので、線状光源装置をコンパクトにまとめて、原稿読取装置全体の小型化のための省スペース化を求める市場ニーズに対応することができる。
【００２９】
本発明の第３の実施形態について説明する。図９は、本発明の導光体１を軸方向Ｘに切断した拡大断面図である。
第３の実施形態は、第２の実施形態の線状光源装置において、光出射面９と光取込部３を有する面とのなす角度θｄが９０°以下となるように構成したものである。なお、反射ローレット溝５が形成された面と光取込部３を有する面とのなす角度は９０°になっている。
【００３０】
光源２から入射された光は、光取込部３から直接に反射ローレット溝５の反射面６に進む光もあるが、導光体１内壁を反射しながら平滑面４に向けて導光された後、反射ローレット溝５の反射面６に進む光もある。光Ａ１のように、光源２から光入射面９に入射して光出射面９に進む場合、光出射面９に対する入射角θ１が導光体１の部材が有する臨界角より大きいので、光出射面９で全反射する。光出射面９で全反射された光Ａ２は、出射角θ２が入射角θ１の大きさと等しくなるが、光出射面９は反射ローレット溝５が形成された面から傾いているため、反射ローレット溝５に対する角度θ３が大きくなる。
【００３１】
このように、光出射面９で光が全反射する度に反射ローレット溝５に対する角度θ３を大きくすることができるので、光出射面９を反射しながら平滑面４に向けて導光された光は、光取込部３から直接に反射ローレット溝５の反射面６に進む光よりも、反射ローレット溝５の反射面６に対する入射角が小さくなる。平滑面４の近傍の反射面６に入射する光は、光取込部３からの直接光に、光出射面９を反射された導光された光が加わるので、反射面６で反射される光は、θｄが９０°の場合に比べて、全体的に軸方向Ｘの角度成分が小さくなる。したがって、光取込部３から遠ざかるにしたがって反射ローレット溝５の反射面６に対する入射角が大きくなるという問題を軽減することができる。
【００３２】
このように、光出射面９と光取込部３を有する面とのなす角度θｄが９０°以下となるように構成すれば、反射ローレット溝５の反射面６で反射される光は、全体的に軸方向Ｘの角度成分が小さくなるので、屈折ローレット溝１０で屈折させなければならない角度も小さくなる。光透過面１７の傾斜角度θｂのとり得る範囲も広くなり設計しやすくなる。
【図面の簡単な説明】
【００３３】
【図１】本発明の線状光源装置の構成を示す斜視図
【図２】本発明の線状光源装置の拡大断面図
【図３】本発明の導光体を径方向に切断した投影図
【図４】本発明の屈折ローレット溝の拡大断面図
【図５】光線が読取対象に照射された状態を示した画像読取装置の一部断面図
【図６】本発明の線状光源装置の拡大断面図
【図７】本発明の屈折ローレット溝の拡大断面図
【図８】光線が読取対象に照射された状態を示した画像読取装置の一部断面図
【図９】本発明の線状光源装置の拡大断面図
【図１０】従来の線状光源装置の構成を示す断面図
【図１１】光線が読取対象に照射された状態を示した画像読取装置の一部断面図
【図１２】従来の線状光源装置の構成を示す断面図
【符号の説明】
【００３４】
１          導光体
２          光源
３          光取込部
４          平滑面
５          反射ローレット溝
６          反射面
７          溝部
８          平坦面
９          光出射面
１０        屈折ローレット溝
１１        溝部
３１        ケース
３２        ケース蓋
３３        偏向フィルム
４１        載置面
４２        読取対象
４３        原稿カバー
【図１】
2008276976.tif 000003
【図２】
2008276976.tif 000004
【図３】
2008276976.tif 000005
【図４】
2008276976.tif 000006
【図５】
2008276976.tif 000007
【図６】
2008276976.tif 000008
【図７】
2008276976.tif 000009
【図８】
2008276976.tif 000010
【図９】
2008276976.tif 000011
【図１０】
2008276976.tif 000012
【図１１】
2008276976.tif 000013
【図１２】
2008276976.tif 000014